【事件の表示】
　平成　８年特許願第５０８１９４号「男性用失禁用具」拒絶査定不服審判事件〔平成　８年　２月２９日国際公開、ＷＯ９６／０５７８６、平成１０年　５月　６日国内公表、特表平１０−５０４４８８号〕について、次のとおり審決する。
【結　論】
　本件審判の請求は、成り立たない。
【理　由】
　
１．手続の経緯・本願発明
　本願は、平成７年８月１６日の出願であって、その請求項１に係る発明は、平成１８年４月４日付けの手続補正書により補正された特許請求の範囲の請求項１に記載された次のとおりのものと認める。（以下、「本願発明」という。）
　　「男性用失禁用具として有用な吸収体製品であって、表面が身体に面している流体透過物（１２；７２；１０２；１３２；１５２；１７２）、液体不透過性の面（１４；７４；１０４；１３４；１５４；１７４）、及びこれらの間の少なくも約０.０２N/幅cm（０.０１ポンド/幅インチ）の引張り強さを有する薄い吸収体構造（２４；７６；１０６）を備え、（Ａ）本製品は周囲部（１６；７８；１０８；１３６；１５６；１７６）と内側部（１８；８４；１１０；１３８；１５８；１７８）とを有し、（Ｂ）身体に面する面（１２；７２；１０２；１３２；１５２；１７２）と液体不透過性面（１４；７４；１０４；１３４；１５４；１７４）とが吸収体構造（２４；７６；１０６）を実質的に囲み、（Ｃ）製品は、内側部（１８；８４；１１０；１３８；１５８；１７８）が折り畳まれた形状から広げられた形状に広がり得るように少なくも１個のひだ（２２；８２；１１４；１４２；１６２；１８２）を有し、（Ｄ）製品の周囲部（１６；７８；１０８；１３６；１５６；１７６）は男性の恥骨に相当しかつ大きく広がることに抵抗するように全体的に三角の形状に配列され形作られ、更に製品を実質的に２次元的な平坦な構造と使用のための３次元的なコップ状構造との間で関節運動させることができる吸収体製品。」
　
２．引用例
　これに対して、原査定の拒絶の理由に引用された、本願の出願の日前である平成７年５月１６日に頒布された特開平７−１２４１９０号公報（以下、「引用例」という。）には、図面と共に次の事項が記載されている。
　
ａ．「横巾が広巾部で最大巾が８０〜１８０ｍｍ、先細部で最小巾が１０〜９０ｍｍ，縦長さが１２０〜３００ｍｍの範囲に形成されるとともに、その平面形状が「野球のホームベース形」または「羽子板形」の偏平なポケット状袋体に形成され、さらに、上記広巾部の縦長さ方向末端に横巾が６０ｍｍ以上のポケット開口部が設けられている柔軟性防水シートからなる肌側被覆材と、上記ポケット開口部の裏側位置に膨張可能なベローズが形成されている柔軟性防水シートからなる外側被覆材とを具備し、上記肌側被覆材と上記外側被覆材との間に吸収体を包蔵して構成したことを特徴とする男性用失禁処理用品。」（【請求項１】 ）
　
ｂ．「上記ポケット状袋体の外皮材については、その肌側被覆材と外側被覆材が同一材質の柔軟性防水シートでもよく、異種材質でもよいが、いずれも水不透過性の柔軟性防水シートからなる。」（段落【００１６】）
　
ｃ．「ポケット開口部の裏側位置に当たる外側被覆材には、膨張可能なペローズが形成される。このベローズは、こう丸ごとペニスをポケット開口部に挿入した際にこれを受け入れる空間をその膨張によって形成する、また、吸収体が尿を吸収して体積が膨張するに従い更に膨張する。本発明の男性用失禁処理用品のポケット状袋体内に包蔵される吸収体は、通常、綿状パルプ、高吸水性ポリマー、ティッシュペーパー等からなる。吸収体の強度を高めるため、必要に応じて、熱接着性合成繊維、樹脂バインダーを添加してもよい。上記吸収体の形状は偏平であり、上記ポケット状袋体とその寸法よりわずかに小さな相似形にするのが好ましい。そうすることにより、ポケット状袋体内にピッタリ吸収体が挿入され、吸収体が上記袋体内で移動しにくくなる。また、吸収体はその少なくとも片面が水透過性シートで被覆され、少なくとも上記肌側被覆材または外側被覆材のいずれかの内面に固定されているのがよい。これによって、綿状パルプや高吸水性ポリマーのペニス等への付着や吸収体の移動を防止できる。」（段落【００１８】〜【００２０】）
　
ｄ．「【作用】本発明の男性用失禁処理用品は「野球のホームベース形」または「羽子板形」をなし、股間に向かって先細になっているので腿または脚の運動を妨害したり、逆に、腿または脚の運動によって失禁処理用品が移動することがない。また、従来のポケット式の男性用失禁処理用品は肌側被覆材と外側被覆材を同時に塑性変形させてペニスを収納するようにしているが、本発明の男性用失禁処理用品はポケット開口位置にベローズを有しているので、ペニスをこう丸ごと挿入するとベローズが適度の弾性抗力を与えながら膨張し、これを収納する空間を形成する。……」（段落【００２４】）
　
ｅ．「また、外側被覆材４の皿の中には吸収体６が収納されている。この吸収体６は、綿状パルプと高吸水性ポリマーの混合体をティッシュペーパーで包んだ構造をしている。そして、吸収体６の上には坪量１６ｇ／ｍ2 のポリウレタン繊維の伸縮性不織布１９が積層され、……これらは外側被覆材４周縁部の鍔２２と熱接着によって相互に結合されている。……」（段落【００３０】）
　
ｆ．「図３に、本発明の失禁処理用品１を装着した状態を示す。ペニス２６は、こう丸ごとポケット開口部５から肌側被覆材３と不織布１９の間に挿入される。その際、ベローズ１２が膨張し、上記ペニス２６およびこう丸を収納する空間を形成する。」（段落【００３２】）
　
　ここで、ペニス２６及びこう丸は身体の一部であるので、不織布１９は表面が身体に面してる面といえる。また、図１〜３より、製品の概略形状をなす周縁部の鍔２２は、男性の恥骨に相当しかつ大きく広がることに抵抗するように全体的に「野球のホームベース形」または「羽子板形」に配列され形作られていることは、明らかである。
　
　したがって、上記記載事項及び図示内容を総合し、本願発明の記載ぶりに則って整理すると、引用例には、次の発明（以下、「引用発明」という。）が記載されている。
「男性用失禁処理用品であって、不織布１９、水不透過性の外側被覆材４、及びこれらの間の吸収体６を備え、本製品は周縁部の鍔２２と内側部とを有し、不織布１９と水不透過性の外側被覆材４とが吸収体６を実質的に囲み、製品は、ベローズ１２を有し、製品の周縁部の鍔２２は男性の恥骨に相当しかつ大きく広がることに抵抗するように全体的に「野球のホームベース形」または「羽子板形」に配列され形作られ、更にベローズが適度の弾性抗力を与えながら膨張し、これを収納する空間を形成する吸収体製品。」
　
３．対比
　本願発明と引用発明とを対比すると、引用発明の「男性用失禁処理用品」、「不織布１９」、「水不透過性の外側被覆材４」、「吸収体６」、「ベローズ１２」、「周縁部の鍔２２」はそれぞれ本願発明の「男性用失禁用具として有用な吸収体製品」、「身体に面する面」、「液体不透過性面」、「吸収体構造」、「内側部が折り畳まれた形状から広げられた形状に広がり得るように少なくも１個のひだ」、「周囲部」に相当する。また、ベローズは、折りたたみ式の伸縮自在な構造、すなわち２次元的な平坦な構造から３次元的な立体的な構造に伸縮するものであって、図２、図５及び上記ｄ．の「ペニスをこう丸ごと挿入するとベローズが適度の弾性抗力を与えながら膨張し、これを収納する空間を形成する」なる記載より、３次元的な立体的な構造は、３次元的なコップ状構造をなすことは明らかであり、また、適度の弾性抗力を与えながら膨張するというベローズの折りたたみ部分の伸縮運動は、本願発明の関節運動に相当するから、引用発明の「ベローズを有しているので、ペニスをこう丸ごと挿入するとベローズが適度の弾性抗力を与えながら膨張し、これを収納する空間を形成する」ことは、本願発明の「製品を実質的に２次元的な平坦な構造と使用のための３次元的なコップ状構造との間で関節運動させることができる」ことに相当する。そうすると、両者は、
「男性用失禁用具として有用な吸収体製品であって、本製品は周囲部と内側部とを有し、（Ｂ）身体に面する面と液体不透過性面とが吸収体構造を実質的に囲み、（Ｃ）製品は、内側部が折り畳まれた形状から広げられた形状に広がり得るように少なくも１個のひだを有し、（Ｄ）製品の周囲部は男性の恥骨に相当しかつ大きく広がることに抵抗するように配列され形作られ、更に製品を実質的に２次元的な平坦な構造と使用のための３次元的なコップ状構造との間で関節運動させることができる吸収体製品である。」点で一致し、次の相違点１〜３にて相違する。
　
相違点１：本願発明の身体に面する面は流体透過物であるのに対し、引用発明の身体に面する面は不織布であるが、流体透過性かどうか明らかではない点。
　
相違点２：本願発明の吸収体構造が少なくも約０.０２N/幅cm（０.０１ポンド/幅インチ）の引張り強さを有するのに対し、引用発明の吸収体は引張り強さについては言及されていない点。
　
相違点３：製品の周囲部について、本願発明が全体的に三角の形状であるのに対し、引用発明は全体的に「野球のホームベース形」または「羽子板形」である点。
　
４．当審の判断
　上記相違点について検討すると、
　
相違点１について
　一般に、失禁用具において、吸収体と身体との間の身体に面する面は、排出された尿等の排泄物を吸収するため液体透過性であることは明らかことである［必要であれば、例えば、米国特許第４９５０２６２号明細書（液透過性のシート２）、特表平５−５０１９７７号公報（液透過性層２）、特表昭５９−５００９４８号公報（浸透性内側シート４）、等参照］から、引用発明の身体に面する不織布が流体透過性であることは、記載はなくとも発明の構造上明らかなことである。
　
相違点２について
　引用発明の吸収体も、上記ｃ．に「本発明の男性用失禁処理用品のポケット状袋体内に包蔵される吸収体は、通常、綿状パルプ、高吸水性ポリマー、ティッシュペーパー等からなる。吸収体の強度を高めるため、必要に応じて、熱接着性合成繊維、樹脂バインダーを添加してもよい。」と記載されているように、一定の引張り強さを有するものと認められ、その引張り強さとして、少なくも約０.０２N/幅cm（０.０１ポンド/幅インチ）の値は当業者であれば、適宜選択採用できる範囲の数値的限定にすぎず、また、少なくも約０.０２N/幅cm（０.０１ポンド/幅インチ）なる数値に格別の臨界的意味は認められない。
　
相違点３について
　本願発明の「野球のホームベース形」または「羽子板形」なる形状も、「股間に向かって先細になっているので腿または脚の運動を妨害したり、逆に、腿または脚の運動によって失禁処理用品が移動することがない」ものであって、また、男性用失禁用具として、全体的に三角の形状のものは、従来周知［例えば、特表平５−５０１９７７号公報（図１、図２参照）、特開昭６１−２１７１６０号公報（図２１、図２２参照）、特開昭６１−１８１４６１号公報（図４、図５参照）、等参照］であるから、引用発明において製品の周囲部を全体的に三角の形状とすることは、当業者であれば必要に応じて容易になし得たことにすぎない。
　
　また、本願発明による効果も、引用発明、引用例に記載されたもの及び周知技術から当業者が予測し得た程度のものであって、格別のものとはいえない。
　
５．むすび
　したがって、本願発明は、引用発明、引用例に記載されたもの及び周知技術に基づいて、当業者が容易に発明することができたものであるので、特許法第２９条第２項の規定により特許を受けることができない。
　よって、結論のとおり審決する。